【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
撮像部を含む電子機器撮像部と本体である電子機器本体部とを有すると共に前記電子機器撮像部と前記電子機器本体部とは互いに回動可能に接続されており、前記電子機器を接続台に接続した時に、前記電子機器撮像部と前記電子機器本体部との位置関係を確認する確認手段と、
この確認手段により確認された位置関係に対応する、この電子機器の動作モードを設定する設定手段と、
を備えたことを特徴とする、撮像部付き電子機器。
【請求項２】
前記確認手段は、少なくとも３つの位置関係を確認するものであることを特徴とする請求項１に記載の撮像部付き電子機器。
【請求項３】
前記確認手段は、前記接続台と前記電子機器とが接続されたことを確認して、前記電子機器の電源がオフの時は、前記電子機器の電源を投入することを特徴とする請求項１または２に記載の撮像部付き電子機器。
【請求項４】
前記動作モードの一つとしてデータ転送モードを備えるとともに、
さらに前記データ転送モードが設定されたとき前記電子機器内のデータを前記接続台へ転送するデータ転送手段を具備したことを特徴とする、請求項１ないし３に記載の撮像部付き電子機器。
【請求項５】
前記動作モードの一つとしてＰＣカメラモードを備え、
このモードが設定されると、前記電子機器を、この電子機器内に有する撮像部により画像を撮像すると共にこの撮影画像を前記接続台へ転送するＰＣカメラ手段として機能させることを特徴とする請求項１ないし３に記載の撮像部付き電子機器。
【請求項６】
前記動作モードの一つとしてセルフタイマ撮影モードを備え、
このモードが設定されると、前記電子機器を、この電子機器内に有する撮像部によりセルフタイマ撮影を行なうと共にこの撮影画像を前記接続台へ転送するセルフタイマ撮影手段として機能させることを特徴とする請求項１ないし３に記載の撮像部付き電子機器。
【請求項７】
撮像部を含む電子機器撮像部と本体である電子機器本体部とを有すると共に前記電子機器撮像部と前記電子機器本体部とは互いに回動可能に接続されている撮像部付き電子機器の制御方法であって、
前記電子機器を接続台に接続した時に、前記電子機器撮像部と前記電子機器本体部との位置関係を確認する確認工程と、
この確認工程により確認された位置関係に対応する前記電子機器の動作モードを設定する設定工程と、
を備えたことを特徴とする、撮像部付き電子機器の制御方法。
【請求項８】
撮像部を含む電子機器撮像部と本体である電子機器本体部とを有すると共に前記電子機器撮像部と前記電子機器本体部とは互いに回動可能に接続されている撮像部付き電子機器の制御プログラムであって、
前記電子機器を接続台に接続した時に、前記電子機器撮像部と前記電子機器本体部との位置関係を確認する確認ステップと、
この確認ステップにより確認された位置関係に対応する前記電子機器の動作モードを設定する設定ステップと、
を備えることを特徴とする、撮像部付き電子機器の制御プログラム。
【請求項９】
前記確認ステップは、少なくとも３つの位置関係を確認する
ことを特徴とする、請求項８に記載の撮像部付き電子機器の制御プログラム。
【請求項１０】
前記確認ステップは、更に、前記接続台と前記電子機器とが接続されたことを確認して、前記電子機器の電源がオフの時は前記電子機器の電源を投入する
ことを特徴とする、請求項８または９に記載の撮像部付き電子機器の制御プログラム。
【手続補正２】
【補正対象書類名】明細書
【補正対象項目名】発明の名称
【補正方法】変更
【補正の内容】
【発明の名称】撮像部付き電子機器と、その制御方法と制御プログラム
【手続補正３】
【補正対象書類名】明細書
【補正対象項目名】０００１
【補正方法】変更
【補正の内容】
【０００１】
本発明は、撮像部付き電子機器と、その制御方法と制御プログラムに関する。
【手続補正４】
【補正対象書類名】明細書
【補正対象項目名】０００６
【補正方法】変更
【補正の内容】
【０００６】
本発明は、かかる従来の課題に鑑みてなされたものであり、電子機器を接続台に装着して所定の機能を利用する際の作業性を向上させる撮像部付き電子機器と、その制御方法と制御プログラムを提供することを目的とする。
【手続補正５】
【補正対象書類名】明細書
【補正対象項目名】０００７
【補正方法】変更
【補正の内容】
【０００７】
請求項１に記載の発明は、撮像部を含む電子機器撮像部と本体である電子機器本体部とを有すると共に前記電子機器撮像部と前記電子機器本体部とは互いに回動可能に接続されており、前記電子機器を接続台に接続した時に、前記電子機器撮像部と前記電子機器本体部との位置関係を確認する確認手段と、この確認手段により確認された位置関係に対応する、この電子機器の動作モードを設定する設定手段と、を備えたことを特徴とする、撮像部付き電子機器を提供する。
【手続補正６】
【補正対象書類名】明細書
【補正対象項目名】０００８
【補正方法】変更
【補正の内容】
【０００８】
請求項２に記載の発明は、前記確認手段は、少なくとも３つの位置関係を確認するものであることを特徴とする請求項１に記載の撮像部付き電子機器を提供する。
【手続補正７】
【補正対象書類名】明細書
【補正対象項目名】０００９
【補正方法】変更
【補正の内容】
【０００９】
請求項３に記載の発明は、前記確認手段は、前記接続台と前記電子機器とが接続されたことを確認して、前記電子機器の電源がオフの時は、前記電子機器の電源を投入することを特徴とする請求項１または２に記載の撮像部付き電子機器を提供する。
【手続補正８】
【補正対象書類名】明細書
【補正対象項目名】００１０
【補正方法】変更
【補正の内容】
【００１０】
請求項４に記載の発明は、前記動作モードの一つとしてデータ転送モードを備えるとともに、さらに前記データ転送モードが設定されたとき前記電子機器内のデータを前記接続台へ転送するデータ転送手段を具備したことを特徴とする、請求項１ないし３に記載の撮像部付き電子機器を提供する。
【手続補正９】
【補正対象書類名】明細書
【補正対象項目名】００１１
【補正方法】変更
【補正の内容】
【００１１】
請求項５に記載の発明は、前記動作モードの一つとしてＰＣカメラモードを備え、
このモードが設定されると、前記電子機器を、この電子機器内に有する撮像部により画像を撮像すると共にこの撮影画像を前記接続台へ転送するＰＣカメラ手段として機能させることを特徴とする請求項１ないし３に記載の撮像部付き電子機器を提供する。
【手続補正１０】
【補正対象書類名】明細書
【補正対象項目名】００１２
【補正方法】変更
【補正の内容】
【００１２】
請求項６に記載の発明は、前記動作モードの一つとしてセルフタイマ撮影モードを備え、
このモードが設定されると、前記電子機器を、この電子機器内に有する撮像部によりセルフタイマ撮影を行なうと共にこの撮影画像を前記接続台へ転送するセルフタイマ撮影手段として機能させることを特徴とする請求項１ないし３に記載の撮像部付き電子機器を提供する。
【手続補正１１】
【補正対象書類名】明細書
【補正対象項目名】００１３
【補正方法】変更
【補正の内容】
【００１３】
請求項７に記載の発明は、撮像部を含む電子機器撮像部と本体である電子機器本体部とを有すると共に前記電子機器撮像部と前記電子機器本体部とは互いに回動可能に接続されている撮像部付き電子機器の制御方法であって、前記電子機器を接続台に接続した時に、前記電子機器撮像部と前記電子機器本体部との位置関係を確認する確認工程と、この確認工程により確認された位置関係に対応する前記電子機器の動作モードを設定する設定工程と、を備えたことを特徴とする、撮像部付き電子機器の制御方法を提供する。
【手続補正１２】
【補正対象書類名】明細書
【補正対象項目名】００１４
【補正方法】変更
【補正の内容】
【００１４】
請求項８に記載の発明は、撮像部を含む電子機器撮像部と本体である電子機器本体部とを有すると共に前記電子機器撮像部と前記電子機器本体部とは互いに回動可能に接続されている撮像部付き電子機器の制御プログラムであって、前記電子機器を接続台に接続した時に、前記電子機器撮像部と前記電子機器本体部との位置関係を確認する確認ステップと、この確認ステップにより確認された位置関係に対応する前記電子機器の動作モードを設定する設定ステップと、を備えることを特徴とする、撮像部付き電子機器の制御プログラムを提供する。
【手続補正１３】
【補正対象書類名】明細書
【補正対象項目名】００１５
【補正方法】変更
【補正の内容】
【００１５】
請求項９に記載の発明は、前記確認ステップは、少なくとも３つの位置関係を確認することを特徴とする、請求項８に記載の撮像部付き電子機器の制御プログラムを提供する。
【手続補正１４】
【補正対象書類名】明細書
【補正対象項目名】００１６
【補正方法】変更
【補正の内容】
【００１６】
請求項１０に記載の発明は、前記確認ステップは、更に、前記接続台と前記電子機器とが接続されたことを確認して、前記電子機器の電源がオフの時は前記電子機器の電源を投入することを特徴とする、請求項８または９に記載の撮像部付き電子機器の制御プログラムを提供する。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】変更
【補正の内容】
【００３１】
以上説明したように本発明においては、電子機器を接続台へ装着する際、その所定部位の向きを選択的に変えることにより、電子機器に異なる動作モードを設定することができるようにした。よって、電子機器を接続台に装着して所定の機能を利用する際の作業性を向上させることが可能となる。
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】